(57)【要約】      （修正有）【課題】運搬しやすい棺本体および当該棺本体を備えた棺桶を提供する。【解決手段】本発明の棺本体１は、底壁１１と、底壁１１から立ち上がる周壁１２と、底壁１１および周壁１２によって画定される収容空間１３とを備え、上方が開口しており、底壁１１の外面には、滑り止めが形成されている。【選択図】図１
2019017843.tif 000002
【特許請求の範囲】
【請求項１】
底壁と、底壁から立ち上がる周壁と、底壁および周壁によって画定される収容空間とを備え、上方が開口した棺本体であって、
前記底壁の外面には、滑り止めが形成されている、
ことを特徴とする棺本体。
【請求項２】
前記滑り止めは、複数の凹凸である、
請求項１に記載の棺本体。
【請求項３】
前記滑り止めは、前記底壁の外面周縁の少なくとも一部に形成されている、
請求項１または２に記載の棺本体。
【請求項４】
前記周壁には、前記収容空間と外部とを連通させる開口部と、前記開口部を開閉可能にする扉と、が形成されている、
請求項１から３のいずれか１項に記載の棺本体。
【請求項５】
前記棺本体は、動物用である、
請求項４に記載の棺本体。
【請求項６】
請求項１から５のいずれか１項に記載の棺本体と、
前記開口を覆う蓋と、
を備える棺桶。
【請求項７】
前記蓋には前記収容空間内にメッセージカードを挿入するための開口部が形成されている、
ことを特徴とする請求項６に記載の棺桶。
【発明の詳細な説明】
【技術分野】
【０００１】
本発明は棺本体および当該棺本体を備えた棺桶に関する。
【背景技術】
【０００２】
遺体が収容された棺桶は、出棺の際に人手によって運ばれる。このとき、運搬者は棺桶の底に手を掛けて棺桶を運ぶ。しかし、従来の棺桶の底は何ら加工されていないため、手が滑りやすく、運搬しにくいという問題があった。
【発明の概要】
【発明が解決しようとする課題】
【０００３】
本発明は、運搬しやすい棺本体および当該棺本体を備えた棺桶を提供することを目的とする。
【課題を解決するための手段】
【０００４】
本発明は、
底壁と、底壁から立ち上がる周壁と、底壁および周壁によって画定される収容空間とを備え、上方が開口した棺本体であって、
前記底壁の外面には、滑り止めが形成されている、
ことを特徴とする。
【０００５】
本発明の棺本体において、前記滑り止めは、複数の凹凸であることが好ましい。
【０００６】
本発明の棺本体において、前記滑り止めは、前記底壁の外面周縁の少なくとも一部に形成されていることが好ましい。
【０００７】
本発明の棺本体において、前記周壁には、前記収容空間と外部とを連通させる開口部と、前記開口部を開閉可能にする扉と、が形成されていることが好ましい。
【０００８】
本発明の棺本体は、動物用であることが好ましい。
【０００９】
本発明は、
上記いずれかに記載の棺本体と、
前記開口を覆う蓋と、
を備えることを特徴とする棺桶にも関する。
【００１０】
本発明の棺桶において、前記蓋には前記収容空間内にメッセージカードを挿入するための開口部が形成されていることが好ましい。
【発明の効果】
【００１１】
本発明の棺本体には、その底壁外面に滑り止めが形成されているため、棺桶の運搬者が底壁外面に手を掛けた際、滑らずに棺桶を運搬することができる。
【図面の簡単な説明】
【００１２】
【図１】（ａ）は棺桶の分解斜視図、（ｂ）は棺桶の組立斜視図である。
【図２】（ａ）は図１（ｂ）のＩＩａ−ＩＩａ線断面図、（ｂ）は棺桶の底面図である。
【発明を実施するための形態】
【００１３】
本発明について図面を参照しながら説明する。以下で説明する実施形態は、いずれも本発明の好ましい一具体例を示すものである。本発明は、以下の実施形態に限定されず、その趣旨を逸脱しない範囲で適宜変更可能である。
【００１４】
図１（ａ）は棺桶１０の分解斜視図、（ｂ）は棺桶１０の組立斜視図である。図２（ａ）は図１（ｂ）のＩＩａ−ＩＩａ線断面図、（ｂ）は棺桶１０の底面図である。
【００１５】
図１（ａ）および（ｂ）に示すように、棺桶１０は、棺本体１と、蓋２とを備える。棺桶１０は人間用または動物用のいずれであってもよい。棺本体１は、矩形状の底壁１１と、底壁１１から立ち上がる周壁１２と、底壁１１および周壁１２によって画定され、遺体を収容する収容空間１３とを備え、外観視で上方が開口した直方体形状である。本実施形態において、底壁１１は長辺１１１と長辺１１１よりも短い短辺１１２とからなる長方形である。周壁１２は、底壁１１の長辺１１１から立ち上がる長周壁１２１と、底壁１１の短辺１１２から立ち上がる短周壁１２２とから構成されている。
【００１６】
蓋２は、上壁２１と、上壁２１から下方に延びる周壁２２とを備える。蓋２は、棺本体１上に開口を覆うように載置される。
【００１７】
長周壁１２１には、収容空間１３と外部とを連通する開口部１４が形成されている。また、長周壁１２１には、開口部１４を覆う扉１５が、蝶番などによって開閉可能に取り付けられている。
【００１８】
蓋２の上壁２１には、遺体の顔を見るための開閉可能な窓２３が形成されており、窓２３の周辺には、収容空間１３と外部とを連通させるスリット２４が形成されている。スリット２４は収容空間１３内にメッセージカードを入れるための開口部である。なお、スリット２４の形状や大きさは特に限定されず、またスリット２４は窓２３の周辺以外の場所に形成されていてもよい。
【００１９】
図２（ａ）および（ｂ）に示すように、棺本体１の底壁１１外面には、滑り止め３が形成されている。滑り止め３は底壁１１外面の周縁部にのみ形成されており、この周縁部は、棺桶１０を運搬する運搬者が手を掛ける部分である。滑り止め３は、特に運搬者が手を掛ける部分である、底壁１１外面の長辺１１１近傍および底壁１１の角部にのみ形成されていることが好ましい。また、後述するが、底壁１１外面の短辺１１２近傍には形成されていないことが好ましい。しかし、滑り止め３は底壁１１外面の周縁部に限定されず、底壁１１の外面全面に形成されていてもよい。
【００２０】
滑り止め３は、底壁１１外面に、溝３１やざらついた粗面といった凹凸を形成したり、焼印を付けたりすることによって形成することができる。
【００２１】
滑り止め３は底壁１１に容易に形成することができる点で、溝３１であることが好ましい。溝３１は、長辺１１１の近傍および底壁１１の角部にのみ形成され、且つ、長辺１１１と平行に延びるよう形成されていることが好ましい。この理由として、棺桶１０を運ぶ際に運搬者が手を掛けるのは、底壁１１の長辺１１１近傍および角部であることが多く、これら以外の部分（例えば、底壁１１の中央や短辺１１２近傍）には手を掛けないことが多いためである。さらに、棺桶１０は火葬場等において台車に乗せられるが、棺桶１０を台車に乗せる際には、まず棺桶１０の長手方向端部を台車上に載置し、その後、棺桶１０を台車上を滑らせるようにして乗せる。このとき、溝３１が長辺１１１と平行に形成されていれば、棺桶１０が台車上を滑り易くなる。また、短辺１１２近傍には短辺１１２と平行の溝が形成されていないことが好ましい。この理由として、底壁１１の短辺１１２近傍に短辺１１２と平行の溝が形成されていると、棺桶１０が台車上を滑りにくくなるおそれがあるためである。
【００２２】
以下、本発明の棺本体１および棺桶１０の効果について説明する。
【００２３】
棺本体１の長周壁１２１に、開閉可能な扉１５によって覆われた開口部１４が形成されていることにより、棺本体１に蓋２が被せられた後であっても、扉１５を開けて収容空間１３内の遺体に触れることができる。特にペットが死亡した際に遺体に触れたいという需要が多いため、このような扉１５付きの開口部１４を有した棺本体１は、動物用の棺本体として特に有用である。
【００２４】
蓋２にスリット２４が形成されていることにより、棺本体１に蓋２が被せられた後であっても故人（動物を含む）に宛てたメッセージカードを挿入することができる。棺本体１に蓋２が被せられた後にメッセージカードを収容空間１３内に挿入することができれば、他人にメッセージカードの内容を読まれることなくメッセージカードを挿入することができる。
【００２５】
本発明の棺本体１の底壁１１には滑り止め３が形成されているため、運搬者が棺桶１０を運搬する際に、手が滑りにくくなり、棺桶１０を持ちやすくなる。滑り止め３が溝３１などの凹凸であれば、簡単な加工により滑り止めを形成することができるため、滑り止め３の形成に掛かるコストを抑えることができる。
【符号の説明】
【００２６】
１０        棺桶
１          棺本体
１１        底壁
１２        周壁
１３        収容空間
１４        開口部
１５        扉
２          蓋
２１        上壁
２２        周壁
２３        窓
２４        スリット（開口部）
３          滑り止め
３１        溝
【図１】
2019017843.tif 000003
【図２】
2019017843.tif 000004